(57)【要約】【課題】  第一に、パテを塗った状態で出隅コーナーが鋭くならないように仕上げることができ、第二に、流通過程や施工現場においてコンパクトに重ねた状態で梱包運搬できるようにする。【解決手段】  建築物の屋内出隅コーナー（３０）に施工される内装仕上材の下地として壁面上に配されるアングル型のコーナー下地材（１）は、アングル型の二辺を形成するフランジ（２Ｒ，２Ｌ）が交わる角部（３）の外側に、夫々のフランジ（２Ｒ，２Ｌ）に跨る円弧面（８）を備えたパテ止め部（４）がフランジ（２Ｒ，２Ｌ）の表面から突出して形成され、角部（３）の内側には、同一規格のコーナー下地材（１）を重ねたときにそのパテ止め部（４）を収容する収容凹部（５）を形成した。【選択図】図１
2016217113.tif 000002
【特許請求の範囲】
【請求項１】
建築物の屋内出隅コーナーに施工される内装仕上材の下地として壁面上に配されるアングル型のコーナー下地材において、
アングル型の二辺を形成するフランジが交わる角部の外側には、夫々のフランジに跨る円弧面を備えたパテ止め部がフランジの表面から突出して形成されると共に、
前記角部の内側には、同一規格のコーナー下地材を重ねたときにそのパテ止め部を収容する収容凹部が形成されたことを特徴とするコーナー下地材。
【請求項２】
建築物の屋内出隅コーナーに施工される内装仕上材の下地として壁面上に配されるアングル型のコーナー下地材において、
アングル型の二辺を形成するフランジが交わる角部の外側には、夫々のフランジに跨る円弧面を備えたパテ止め部がフランジの表面から突出して形成されたことを特徴とするコーナー下地材。
【請求項３】
前記パテ止め部には、前記円弧面から各フランジに沿って延設されるパテヘラガイドとなる平面部が形成された請求項１又は２記載のコーナー下地材。
【請求項４】
前記一対のフランジの内面同士のなすフランジ内面交差角が９０°以下に形成されると共に、前記パテヘラガイド同士のなすパテヘラガイド交差角が８０°以上で、前記内面交差角よりも鋭角に形成された請求項３記載のコーナー下地材。
【発明の詳細な説明】
【技術分野】
【０００１】
本発明は、建築物の屋内出隅コーナーに内装仕上材を施工する際に、その下地として壁面上に配されるコーナー下地材に関するものである。
【背景技術】
【０００２】
図４に示すように、建築物の屋内壁の出隅コーナー３０は、石膏ボード３１、３２等を突き合わせて形成されているが、石膏ボード３１、３２の継目３３に段差が形成されたり、出隅コーナー３０の稜線となる石膏ボード３１の端縁３１ａに傷がついていると、その上から内装仕上材を施工したときに、その形状がそのまま内装仕上材の表面に露呈してしまう。
【０００３】
このため、略直角のアングル型に形成されたコーナー下地材２１で出隅コーナー３０を覆い、その上から内装仕上材３４を施工するのが一般的である。
このような従来のコーナー下地材２１は、図４（ａ）に示すように、一対のフランジ２２Ｒ、２２Ｌにより略直角のアングル型にプラスチックで押出成形されている。
このコーナー下地材２１を、図４（ｂ）に示すように建築物の屋内壁の出隅コーナー３０にあてて、図４（ｃ）に示すようにその上からパテ３５を塗り、下地材２１と壁面の段差を均した後、その上から壁紙などの内装仕上材３４を施工するようにしている。
【０００４】
しかしながら、この場合も、パテ塗り作業をする際に、コーナー下地材２１のアングル型の各辺を構成するフランジ２２Ｒ、２２Ｌが交わる角部２３でパテだれを起こしてパテの突起等が形成されてしまうと、内装仕上材３４を施工したときに、やはり、そのパテ形状がそのまま内装仕上材の表面に露呈してしまう。
【０００５】
このため、パテだれを起こすことなく、簡単、かつ、確実にパテ塗り作業を行うことができるようなコーナー下地材が提案された（特許文献１）。
このコーナー下地材４１は、図５（ａ）に示すように、略直角のアングル型に形成された一対のフランジ４２Ｒ、４２Ｌの角部４３の外側に、パテ止めとなる突起４４を形成したものである。
【０００６】
これによれば、コーナー下地材４１を、図４（ｂ）に示すように、建築物の屋内壁の出隅コーナー３０にあてて、その上からパテを塗る際に、角部４３の突起４４でパテをきれいに切ることができるので、パテだれを起こすことがなく、内装がきれいに仕上がる。
【０００７】
しかしながら、角部４３に形成された突起４４は、その先端が尖っているためきれいにパテ切りできるという利点があるものの、図５（ａ）に示すように、突起４４の両面側にパテを塗った状態でもその先端が鋭い状態に仕上がるため、壁紙などの内装仕上材を施工するときに壁紙が破れやすいだけでなく、出隅コーナー３０にぶつかって人がけがをしたり、硬いものが当たって出隅コーナー３０が欠けたりし易いという問題があった。
また、コーナー下地材４１は、流通過程においても、施工現場においても、重ねた状態で梱包運搬されるものであるが、このタイプのコーナー下地材４１を重ねた場合、図５（ｂ）に示すように、角部４３の突起４４によりその高さ分の大きな隙間が空いてしまうので、フランジ４２Ｒ、４２Ｌ同士をコンパクトに重ね合わせることができずに、嵩張ってしまうという問題があった。
さらに、突起４４の尖った先端は、コーナー下地材４１を重ねたときに、そのまま施工することができない程度に傷ついたり変形したりしやすく、その場合は廃棄処分しなければならないという問題もある。
【先行技術文献】
【特許文献】
【０００８】
【特許文献１】特許第５６８８６４８号公報
【発明の概要】
【発明が解決しようとする課題】
【０００９】
そこで本発明は、第一に、パテを塗った状態で出隅コーナーが鋭くならないように仕上げることができ、第二に、流通過程や施工現場においてコンパクトに重ねた状態で梱包運搬できるようにすることを技術的課題とする。
【課題を解決するための手段】
【００１０】
この課題を解決するために、本発明は、建築物の屋内出隅コーナーに施工される内装仕上材の下地として壁面上に配されるアングル型のコーナー下地材において、
アングル型の二辺を形成するフランジが交わる角部の外側には、夫々のフランジに跨る円弧面を備えたパテ止め部がフランジの表面から突出して形成されると共に、
前記角部の内側には、同一規格のコーナー下地材を重ねたときにそのパテ止め部を収容する収容凹部が形成されたことを特徴とする。
【発明の効果】
【００１１】
本発明に係るコーナー下地材によれば、このコーナー下地材を建造物の出隅コーナーを覆うように配し、その上からパテを塗れば、パテ止め部によりパテ切りされるので、パテだれを起こすことなくきれいにパテを塗ることができる。
さらに、その上から壁紙などの内装仕上材を貼るときに、パテ止め部は夫々のフランジに跨る円弧面で形成されているので、内装仕上材が破れにくい。
【００１２】
また、各フランジが交わる角部の内側には、外側に突出形成されたパテ止め部を収容する収容凹部が形成されているので、同一規格のコーナー下地材を互いに重ね合わせたときに、パテ止め部が、これに対面するコーナー下地材の内側に形成された収容凹部に収容される。
したがって、フランジ間に大きな隙間を形成することなく重ね合わせることができるので、流通過程や施工現場において、嵩張ることなくコンパクトに梱包運搬することができる。
【図面の簡単な説明】
【００１３】
【図１】本発明に係るコーナー下地材を示す説明図。
【図２】その要部を示す拡大断面図。
【図３】使用状態を示す説明図。
【図４】コーナー下地材を用いた一般的な施工方法を示す説明図。
【図５】従来技術を示す説明図。
【発明を実施するための形態】
【００１４】
本例は、パテを塗った状態で出隅コーナーが鋭くならないように仕上げることができ、流通過程や施工現場においてコンパクトに重ねた状態で梱包運搬できるようにするという目的を達成するため、建築物の屋内出隅コーナーに施工される内装仕上材の下地として壁面上に配されるアングル型のコーナー下地材において、アングル型の二辺を形成するフランジが交わる角部の外側には、夫々のフランジに跨る円弧面を備えたパテ止め部がフランジの表面から突出して形成されると共に、前記角部の内側には、同一規格のコーナー下地材を重ねたときにそのパテ止め部を収容する収容凹部を形成した。
【実施例１】
【００１５】
図１は本発明に係るコーナー下地材１の一例を示す。
コーナー下地材１は、プラスチック押出成形により、所定角度をなす一対のフランジ２Ｒ、２Ｌによりアングル型に形成され、建築物の屋内出隅コーナー３０（図４参照）に施工される壁紙などの内装仕上材２１の下地として壁面上に配されるものである。
【００１６】
アングル型の二辺を形成する各フランジ２Ｒ、２Ｌが交わる角部３の外側には、パテを塗ったときに、パテ切りをするパテ止め部４が形成されている。
パテ止め部４は、その先端に、夫々のフランジ２Ｒ、２Ｌに跨る円弧面８を備え、フランジ２Ｒ、２Ｌの表面から突出して形成されている。
具体的には、図２に示すように、その円弧面８から各フランジ２Ｒ、２Ｌに沿ってパテヘラガイド９Ｒ、９Ｌとなる平面部が延設されて形成されており、そのパテヘラガイド９Ｒ、９Ｌとフランジ２Ｒ、２Ｌとの間にテーパ面６でなる段差部が形成されている。
【００１７】
また、アングル型の角部３の内側には、前記パテ止め部４の裏面側に、同一規格のコーナー下地材１を重ねたときにそのパテ止め部４を収容する収容凹部５が形成されている。
収容凹部５は、フランジ２Ｒ、２Ｌの内面を凹ませて形成され、フランジ２Ｒ、２Ｌの内面と収容凹部５との間にテーパ面７で成る段差部が形成されている。
【００１８】
なお、パテ止め部４及び収容凹部５の段差部となるテーパ面６，７は、コーナー下地材１を重ねたときに互いに引っかかることなく着脱することができるように、フランジ２Ｒ、２Ｌの表面及び内面に対して約４５°に形成されている。
【００１９】
本例の場合、各部の寸法が、フランジ２Ｒ、２Ｌは、その一片の長さＷ＝２〜５ｃｍに形成されると共に、角部３側の厚さＴ１＝０.５〜２ｍｍ程度、自由端側の厚さＴ２＝０.１〜１.５ｍｍ程度と漸減して形成されている。
パテ止め部４の円弧面８は半径Ｒ＝０.５〜４ｍｍ程度、パテ止め部４のフランジ２Ｒ、２Ｌ方向に伸びる長さＬ１は片側でＬ１＝１〜１２ｍｍ程度、フランジ２Ｒ、２Ｌの表面からの突出段差Ｄ１＝０.２〜０.８ｍｍ程度に形成されている。
【００２０】
収容凹部５のフランジ２Ｒ、２Ｌ方向に伸びる長さＬ２は、パテ止め４の突出部の長さＬ１と比して、Ｌ２＞Ｌ１とやや大きめに形成され、本例ではＬ２＝１.１×Ｌ１と約１０％増しに形成されており、収容凹部５の深さＤ２は、パテ止め４の段差Ｄ１と同程度に形成されている。
ここで、収容凹部５の深さＤ２がパテ止め部４の段差Ｄ１より大きければ、パテ止め部４を完全に収容することができるので、角部３の外側に向かって突出形成されたパテ止め部４によって隙間が形成されることがなく、コンパクトに梱包運搬することができる。
なお、収容凹部５の深さＤ２がパテ止め４の段差Ｄ１より小さい場合であっても、パテ止め部４の先端が収容凹部５に収納されるので、コーナー下地材１同士を重ねたときのフランジ２Ｒ、２Ｌ間の隙間を段差Ｄ１の高さより低くすることができ、多少の隙間が形成されたとしてもコーナー下地材１をコンパクトに梱包運搬することができる。
【００２１】
また、コーナー下地材１を出隅コーナー３０にあてたときに、自由端側が壁面から浮かずにフィットするように、一対のフランジ２Ｒ、２Ｌの内面同士のなすフランジ内面交差角αは９０°以下に成形され、好ましくは９０度よりわずかに鋭角の８７〜８８度程度に形成されている。
さらに、コーナー下地材１を出隅コーナー３０にあてた状態で、パテヘラガイド９Ｒ、９Ｌの延長線が、出隅コーナー３０の壁面に徐々に近づくように、パテヘラガイド９Ｒ、９Ｌ同士のなすパテヘラガイド交差角βは８０°以上で、且つ、内面交差角αより鋭角に形成されており、好ましくは８５〜８７°に形成されている。
【００２２】
以上が本発明の一構成例であって、次にその作用について説明する。
流通過程において同一規格のコーナー下地材１を梱包し運搬する場合、２５本を重ねてこれを一組とし、四組を一箱に入れて合計１００本で取引されている。
この場合に、図１（ｂ）に示すように、コーナー下地材１を重ねていくと、内側に重ねられたコーナー下地材１の角部３の外側に突出したパテ止め部４が、外側に重ねられたコーナー下地材１の角部３の内側に形成された収容凹部５に収まるので、パテ止め部４によってフランジ２Ｒ、２Ｌに大きな隙間が形成されることがなく、流通過程や施工現場において、嵩張ることなくコンパクトに重ねた状態で梱包運搬することができる。
【００２３】
建築物の出隅コーナー３０に内装仕上材３４を施工する場合は、従来と同様、出隅コーナー３０に、コーナー下地材１を当て、フランジ２Ｒ、２Ｌと壁面との段差を覆うように、その上からパテ３５を塗る。
【００２４】
このとき、図３に示すように、パテを盛ったパテヘラ１０の一端側をパテヘラガイド９Ｒ、９Ｌの平面部に添わせて当てるだけで、パテヘラ１０の他端側を出隅コーナー３０の壁面から僅かに浮かせた状態にパテヘラ１０の角度を決めることができるので、熟練度の低い作業者でも、コーナー下地材１のパテ止め部４側から壁面に向かってパテ厚さが薄い理想的なパテ塗りを比較的容易に行うことができる。
【００２５】
また、下地材１の角部３の外側には、パテ止め部４が形成されており、その段差部分でパテ切りを行うことができるので、パテだれを生じにくい。
さらに、パテ止め部４は、その先端が尖っているものではなく円弧面８で形成されていることから、その上から壁紙などの内装仕上材を施工しても破れにくく、出隅コーナー３０に人がぶつかってもけがをしにくく、硬いものが当たっても出隅コーナー３０が欠けにくいというメリットがある。
【００２６】
さらに、下地材１の角部３の内側には、収容凹部５が形成されているので、壁面の出隅コーナー３０を形成する石膏ボードなどの稜線がキズついて局所的に微小な凸部が形成されたとしても、その凸部を収容凹部５内に収めることができるので、コーナー下地材１をガタツキなく出隅コーナー３０に設置することができる。
【産業上の利用可能性】
【００２７】
本発明は、建築物の屋内出隅コーナーに施工される内装仕上材の下地として壁面上に配されるコーナー下地材の用途に適用し得る。
【符号の説明】
【００２８】
１………………コーナー下地材
２Ｒ、２Ｌ……フランジ
３………………角部
４………………パテ止め部
５………………収容凹部
８………………円弧面
９Ｒ、９Ｌ……パテヘラガイド
【図１】
2016217113.tif 000003
【図２】
2016217113.tif 000004
【図３】
2016217113.tif 000005
【図４】
2016217113.tif 000006
【図５】
2016217113.tif 000007